(57)【要約】【課題】  本発明は、簡単な構造で多大な効果が発揮され、既存の建物にも容易に適用することが出来る雨垂れ音の低減構造を提供することを可能にすることを目的としている。【解決手段】  矩形状の金属板を山型に折り曲げ加工して形成した屈折板５を、防振ゴムシート４を介して、該屈折板５の折り曲げ線５ａが建物外壁面１に対して平行になるように配置して屋根面３に対して貼着して構成すると共に、防振ゴムシート４は屋根面３と屈折板５との間の離間寸法に応じた厚みを有し、屈折板５の勾配は、屋根面３に対する雨垂れの滴下位置６において屋根面３の勾配よりも急勾配とした構成であることを特徴とする。【選択図】      図１
2007205070.tif 000002
【特許請求の範囲】
【請求項１】
建物外壁面からの突出部の薄肉板からなる屋根面に雨垂れが滴下する際に発生する雨垂れ音の低減構造であって、
矩形状の金属板を山型に折り曲げ加工して形成した屈折板を、防振ゴムシートを介して、該屈折板の折り曲げ線が建物外壁面に対して概ね平行になるように配置して前記屋根面に対して貼着して構成すると共に、
前記防振ゴムシートは前記屋根面と前記屈折板との間の離間寸法に応じた厚みを有して構成したことを特徴とする雨垂れ音の低減構造。
【請求項２】
前記屈折板の勾配は、前記屋根面に対する雨垂れの滴下位置において前記屋根面の勾配よりも急勾配としたことを特徴とする請求項１に記載の雨垂れ音の低減構造。
【発明の詳細な説明】
【技術分野】
【０００１】
本発明は、建物外壁面からの突出部の薄肉板からなる屋根面に雨垂れが滴下する際に発生する雨垂れ音の低減構造に関するものである。
【背景技術】
【０００２】
従来より建物、特に外壁の遮音性が高い住宅において、外壁面からの突出部（例えば窓上に設置されたシャッターボックス、出窓、庇、雨樋、サッシ下部の水切り等の先端部）から滴下した雨水が、これより下方にありかつ開口部に近く音が室内に伝わりやすい突出部（例えばシャッターボックス、出窓、換気扇フード等）の屋根面を振動させることで雨垂れ音が発生し、この雨垂れ音が、例えば他の音があまり聞こえない（暗騒音が小さい）就寝時等に耳障りに聞こえる、という現象ががしばしば生じていた。
【０００３】
この現象に対して、例えば特許文献１に記載されたようにゴム製の制振シートを内面に貼着したり、特許文献２に記載されたようにポリエチレン発泡シートを外面に貼着する等の対策が取られてきた。
【０００４】
【特許文献１】特開２０００−００８７３７号公報
【特許文献２】特開２００４−０７６５４４号公報
【発明の開示】
【発明が解決しようとする課題】
【０００５】
しかしながら、前述の特許文献１の技術のように既存の建物において内面に貼着することは作業に手間がかかるという問題があり、外面に添付するとシートの劣化（硬化）が進行し易く振動を減衰させる効果が持続しないという問題もあった。また、特許文献２の技術のように軟質のシートを屋根面に沿って貼着することでは、内面であっても外面であっても屋根面の剛性がさほど増加しないため、特に雨水がある程度まとまった状態で滴下する溜まり水の場合は振動が充分に減衰せず、雨垂れ音の低減対策としては不十分であった。
【０００６】
本発明は前記課題を解決するものであり、その目的とするところは、簡単な構造で多大な効果が発揮され、既存の建物にも容易に適用することが出来る雨垂れ音の低減構造を提供せんとするものである。
【課題を解決するための手段】
【０００７】
前記目的を達成するための本発明に係る雨垂れ音の低減構造の第１の構成は、建物外壁面からの突出部の薄肉板からなる屋根面に雨垂れが滴下する際に発生する雨垂れ音の低減構造であって、矩形状の金属板を山型に折り曲げ加工して形成した屈折板を、防振ゴムシートを介して、該屈折板の折り曲げ線が建物外壁面に対して概ね平行になるように配置して前記屋根面に対して貼着して構成すると共に、前記防振ゴムシートは前記屋根面と前記屈折板との間の離間寸法に応じた厚みを有して構成したことを特徴とする。
【０００８】
また、本発明に係る雨垂れ音の低減構造の第２の構成は、前記第１の構成において、前記屈折板の勾配は、前記屋根面に対する雨垂れの滴下位置において前記屋根面の勾配よりも急勾配としたことを特徴とする。
【発明の効果】
【０００９】
本発明に係る雨垂れ音の低減構造の第１の構成によれば、（１）山型に折り曲げることで剛性が増大した屈折板を、防振ゴムシートを介して既存の屋根面に貼着して３者を一体化することで、屋根面の振動が抑制され雨垂れ音の低減効果が得られる。（２）更に、山型に折り曲げることで最も振動しやすい中央部で防振ゴムシートの厚みを大きくすることが出来るので雨垂れ音の低減効果が高まる。（３）屋根面の下方先端部には屈折板の「山の裾野の部分」が配置され防振ゴムシートの厚みも小さいので、正面下方から見上げた場合の見かけの厚みの増加が抑えられて施工後の違和感が少ない。（４）外面からの作業のため手間がかからない。（５）防振ゴムシートは屈折板によって被覆されるので外気や日射の影響を受け難いので、弾性が長期にわたって保たれ防振効果が持続する。
【００１０】
また本発明に係る雨垂れ音の低減構造の第２の構成によれば、屋根面に対する雨垂れの滴下位置において屈折板の勾配が既存の屋根面の勾配よりも急勾配とすることで雨垂れの滴下方向と傾斜した屈折板により形成される滴下面とのなす角度がより鋭角となり雨垂れの滴下による衝撃力が緩和されるので、雨垂れ音の低減効果が更に高まる。
【発明を実施するための最良の形態】
【００１１】
図により本発明に係る雨垂れ音の低減構造の一実施形態を具体的に説明する。図１は本発明に係る雨垂れ音の低減構造を屋根面が丸型のシャッターボックスに適用した場合の第１実施形態の構成を示す断面説明図、図２は第１実施形態の屋根面周辺の部分断面図、図３は第１実施形態の屋根面周辺の平面図である。
【００１２】
先ず、図１〜図３を用いて本発明に係る雨垂れ音の低減構造を屋根面が丸型のシャッターボックスに適用した場合の第１実施形態について説明する。図１〜図３において、建物外壁面１から屋根面が丸型のシャッターボックス２が突出されており、その突出部の薄肉板からなる屋根面３上に防振ゴムシート４が貼着され、該防振ゴムシート４上に矩形状の金属板を山型に折り曲げ加工して形成した屈折板５が貼着される。
【００１３】
屈折板５はその折り曲げ線５ａが建物外壁面２に対して平行になるように配置され、防振ゴムシート４は屋根面３と屈折板５との間の離間寸法に応じた厚みを有して構成される。屈折板５の勾配は屋根面３に対する雨垂れの滴下位置６において該屋根面３の勾配よりも急勾配になるように構成されている。
【００１４】
屈折板５の材質や板厚は特に限定されるものではないが、雨垂れ音の減衰効果、耐久性、加工性、施工性の観点から板厚が２mm程度のステンレス鋼板（SUS304等）或いは亜鉛メッキ鋼板等が好ましい。
【００１５】
屈折板５の幅や長さも特に限定されるものではないが、少なくとも屋根面３に対する雨垂れの滴下位置６を覆っていれば良い。但し、意匠性の観点からシャッターボックス２の屋根面３のほぼ全長全幅に亘ってカバーされているのが好ましい。尚、屋根面３の端部は通常支持あるいは折り曲げ加工されているため雨垂れの滴下による振動は少ないので、図３に示すように防振ゴムシート４や屈折板５を端部ギリギリまで寄せることは性能上は必要ない。
【００１６】
屈折板５の折り曲げる位置や勾配角度、折り曲げ線５ａの数は雨垂れの滴下位置６や屋根面３の勾配角度や形状に対応して適宜選択すれば良いが、雨垂れの滴下位置６において水平面に対して２０度以上の勾配角度を有する場合には雨垂れ音の減衰効果が大きくなって好ましい。但し、建物外壁面１への雨仕舞から建物外壁面１に向かって下り勾配にならないように構成することが望ましい。例えば、図２において、角度ａ，ｂは１６３度、角度ｃは３５度に設定された一例である。
【００１７】
防振ゴムシート４の材質や層厚は特に限定されるものではないがＥＰＤＭ（Ethylene Propylene Diene Methylene Linkage；エチレン・プロピレン・ジエン三元共重合体）ゴムの発泡材で、屋根面３と屈折板５との間に隙間が発生しないように予めその空間形状に対応して成形されたものを使用することが出来る。また防振ゴムシート４は、曲げ頂上部に向って屋根面３屈折板５との離間寸法が増すにつれて階段状に厚みを増したものを使用することも出来る。ＥＰＤＭゴムは弾性を有するので接着により発生する圧縮力や引張力によって離間寸法に応じた形状に（厚み）にある程度矯正されるからである。
【００１８】
屋根面３と防振ゴムシート４、防振ゴムシート４と屈折板５とを貼着する粘着材料としては、合成樹脂系粘着材が設けられた両面テープ等で、外周囲並びに１００mm以下程度の間隔で数列接着することが出来る。
【００１９】
屈折板５及び防振ゴムシート４の外周端部はシーリング材７により防水処理が施されている。防振ゴムシート４内部への雨水の浸透による接着強度低下を防止すると共に外観性を高めるために屋根面３や屈折板５に近い色調を有する変性シリコーン系シーリング材を使用することが好ましい。尚、シーリング材７は屋根面３に対する屈折板５の接着力の増強にも寄与している。
【００２０】
図３（ａ）は屈折板５がシャッターボックス２の長手方向において２分割された場合の一例であり、図３（ｂ）は屈折板５がシャッターボックス２の長手方向において連続的に一枚で構成された一例である。
【００２１】
次に図４及び図５を用いて本発明に係る雨垂れ音の低減構造を屋根面が角型のシャッターボックスに適用した場合の第２実施形態について説明する。図４は本発明に係る雨垂れ音の低減構造を屋根面が角型のシャッターボックスに適用した場合の第２実施形態の屋根面周辺の部分断面図、図５は第２実施形態の屋根面周辺の平面図である。尚、前記第１実施形態と同様に構成したものは同一の符号を付して説明を省略する。
【００２２】
前記第１実施形態では屋根面３が丸型のシャッターボックス２に対応して屈折板５の折り曲げ線５ａを２箇所設けて構成したが、本実施形態では屋根面３が角型のシャッターボックス２に対応して屈折板５の折り曲げ線５ａを１箇所設けて構成したものである。例えば、図４において、角度ｄは１５８度、角度ｅは２３度に設定された一例である。また、図５（ａ）は屈折板５がシャッターボックス２の長手方向において２分割された場合の一例であり、図５（ｂ）は屈折板５がシャッターボックス２の長手方向において連続的に１枚で構成された一例である。他の構成は前記第１実施形態と同様に構成され、同様の効果を得ることが出来る。
【００２３】
本発明に係る雨垂れ音の低減構造における上記第１実施形態及び第２実施形態の雨垂れ音低減効果を検証する為に行なった騒音試験について以下に説明する。
【００２４】
騒音試験の方法としては、実験棟において凡そ１.８ｍ巾のアルミサッシ上部の鋼板下地面にシャッターボックス２を取り付けておき、シャッターボックス上面に下記の夫々の実施例の条件に応じた防振ゴムシートや屈折板を貼着した上で、シャッターボックスの上部凡そ４.８ｍの高さ（住宅の３階のサッシ上部のシャッターボックス先端から１階のサッシのシャッターボックス屋根面に滴下することを想定した高さ）より蛇口付きポリタンクの蛇口から水を放水落下させ、室内のサッシ面より凡そ１ｍ、室内床面より凡そ１ｍの位置における騒音レベルをリオン株式会社製精密騒音計ＮＡ−２７により測定した。
【００２５】
放水量は、多雨或いはある程度の雨水がまとまって滴下したことを想定した場合の放水量を毎分2000ccとし、少雨或いは雨水があまりまとまらずに滴下したことを想定した場合の放水量を毎分600ccとして、上記２通りの放水量で測定した。
【００２６】
また比較例として、防振ゴムシートや屈折板を全く付加しないシャッターボックスと、防振ゴムシートの上面に屈折板にかえて平板を付加したシャッターボックスについて同様の騒音試験を行なった。
【００２７】
〔実施例１〕
屈折板５として板厚２mmのステンレス鋼板の２箇所でそれぞれ山型に折り曲げてそれぞれの山中央で１０mm高さとし、丸型シャッターボックス２の屋根面３と屈折板５との間に防振ゴムシート４として中央部では厚さ１０mmの日東電工株式会社製「エプトシーラー（商品名）」を介在させ、端部では厚さ２mmのエプトシーラー（商品名）を介在させて、屈折板５と防振ゴムシート４、防振ゴムシート４と屋根面３とをそれぞれ貼着し、主に屈折板５の中間部（勾配約１８度）の面に雨水が滴下するようにした。
【００２８】
〔実施例２〕
屈折板５として板厚２mmのステンレス鋼板の中央部分を山型に折り曲げて山の頂部で１０mmの高さとし、角型シャッターボックス２の屋根面３（勾配約２５度）と屈折板５との間に防振ゴムシート４として厚さ２mmの日東電工株式会社製「エプトシーラー（商品名）」を介在させて、屈折板５と防振ゴムシート４、防振ゴムシート４と屋根面３とをそれぞれ貼着し、屈折板５の外側の面の勾配が屋根面３の勾配よりも急勾配（約３０度）となるように構成した。
【００２９】
〔実施例３〕
屈折板５として板厚２mmのステンレス鋼板の中央部分を山型に折り曲げて山の頂部で１８mmの高さとし、角型シャッターボックス２の屋根面３（勾配約２５度）と屈折板５との間に防振ゴムシート４として厚さ２mmの日東電工株式会社製「エプトシーラー（商品名）」を介在させて、屈折板５と防振ゴムシート４、防振ゴムシート４と屋根面３とをそれぞれ貼着し、屈折板５の外側の面勾配が屋根面３の勾配よりも実験例２よりも更に急勾配（約３５度）となるように構成した。
【００３０】
〔比較例１〕
丸型シャッターボックスに対して屈折板５と防振ゴムシート４等は全く付加しない状態で、主に屋根面３の中間部（勾配約２５度）の面に雨水が滴下するようにした。
【００３１】
〔比較例２〕
防振ゴムシート４として厚さ２mmの日東電工株式会社製「エプトシーラー（商品名）」と、板厚２mmの折り曲げ加工のない平らなステンレス鋼板とを貼り合わせたものを角型シャッターボックス２の屋根面３（勾配約２５度）の勾配なりに貼着して構成した。
【００３２】
上記実施例１〜３及び比較例１、２について騒音レベルを測定し、両者の差異を求めたものが以下の表１である。
【００３３】
【表１】
2007205070.tif 000003
【００３４】
上記比較例１と実施例１とを比較すれば屈折板５及び防振ゴムシートを付加することによる雨垂れ音の低減効果が明らかである。
【００３５】
また、上記比較例２と実施例２とを比較すれば平板を屈折板５に置きかえ防振ゴムシートを離間寸法に対応したものとすることにより雨垂れ音の低減効果が向上することが明らかである。
【００３６】
更に、上記実施例２と実施例３とを比較すれば屈折板５の勾配が屋根面３の勾配よりも急勾配に構成したことにより雨垂れ音の低減効果が向上することが明らかである。
【００３７】
次に図６及び図７を用いて本発明に係る雨垂れ音の低減構造を出窓の屋根面に適用した場合の第３実施形態について説明する。図６は本発明に係る雨垂れ音の低減構造を出窓の屋根面に適用した場合の第３実施形態の屋根面周辺の部分断面図、図７は第３実施形態の屋根面周辺の平面図である。尚、前記各実施形態と同様に構成したものは同一の符号を付して説明を省略する。
【００３８】
本実施形態では屋根面３が出窓の屋根面である以外は前記各実施形態と同様に構成され、同様の効果を得ることが出来る。例えば、図６において、角度ｆは１６９度、角度ｇは１３度に設定された一例である。また、図７（ａ）は屈折板５が出窓の屋根面３の長手方向において２分割された場合の一例であり、図７（ｂ）は屈折板５が出窓の屋根面３の長手方向において連続的に一枚で構成された一例である。
【産業上の利用可能性】
【００３９】
本発明の活用例として、建物外壁面からの突出部の薄肉板からなる屋根面に雨垂れが滴下する際に発生する雨垂れ音の低減構造に適用することが出来る。
【図面の簡単な説明】
【００４０】
【図１】本発明に係る雨垂れ音の低減構造を屋根面が丸型のシャッターボックスに適用した場合の第１実施形態の構成を示す断面説明図である。
【図２】第１実施形態の屋根面周辺の部分断面図である。
【図３】第１実施形態の屋根面周辺の平面図である。
【図４】本発明に係る雨垂れ音の低減構造を屋根面が角型のシャッターボックスに適用した場合の第２実施形態の屋根面周辺の部分断面図である。
【図５】第２実施形態の屋根面周辺の平面図である。
【図６】本発明に係る雨垂れ音の低減構造を出窓の屋根面に適用した場合の第３実施形態の屋根面周辺の部分断面図である。
【図７】第３実施形態の屋根面周辺の平面図である。
【符号の説明】
【００４１】
１…建物外壁面
２…シャッターボックス
３…屋根面
４…防振ゴムシート
５…屈折板
５ａ…折り曲げ線
６…滴下位置
７…シーリング材
【図１】
2007205070.tif 000004
【図２】
2007205070.tif 000005
【図３】
2007205070.tif 000006
【図４】
2007205070.tif 000007
【図５】
2007205070.tif 000008
【図６】
2007205070.tif 000009
【図７】
2007205070.tif 000010